(57)【特許請求の範囲】
【請求項１】
発光ダイオード環境エンジンに係る照明システムであって、
前記発光ダイオード環境エンジンは、
街角の交差点に設置され、前記交差点のコーナに設置されたＬＥＤ照明を有する複数の照明構造に通信上連結され、
前記発光ダイオード環境エンジンのカメラは、街路を横切るために待機する歩行者を検出し、
前記発光ダイオード環境エンジンのプロセッサは、前記歩行者が歩こうとする方向を決定し、
前記発光ダイオード環境エンジンは、前記決定された方向の前記照明構造の前記ＬＥＤ照明を活性化し、
緊急事態が発生した場合、それを感知した歩行者は、接続されたスマートフォンを使用して前記発光ダイオード環境エンジンに救助信号を送信し、前記発光ダイオード環境エンジンは、緊急救助隊に警報を送信し、前記交差点の録画、録音を保存することを特徴とするシステム。
【請求項２】
前記プロセッサは、ストレージのために外部機器に無線モジュールによって受信された情報を送信するように動作可能であることを特徴とする請求項１に記載のシステム。
【請求項３】
前記照明構造は、前記ＬＥＤ照明の出力色相を変更するように前記プロセッサによって制御可能であることを特徴とする請求項１に記載のシステム。
【請求項４】
前記照明構造は、照明の演色評価指数（ｃｏｌｏｒ  ｒｅｎｄｅｒｉｎｇ  ｉｎｄｅｘ）を変更できることを特徴とする請求項３に記載のシステム。
【請求項５】
前記照明構造は、制御された光を放出できるように前記ＬＥＤ照明に接続された光源アレイを含むことを特徴とする請求項１に記載のシステム。
【請求項６】
発光ダイオード環境エンジンに係る照明方法であって、
前記発光ダイオード環境エンジンは、
街角の交差点に設置され、前記交差点のコーナに設置されたＬＥＤ照明を有する複数の照明構造に通信上連結され、
前記発光ダイオード環境エンジンのカメラが、街路を横切るために待機する歩行者を検出する段階と、
前記発光ダイオード環境エンジンのプロセッサが、前記歩行者が歩こうとする方向を決定する段階と
前記発光ダイオード環境エンジンが、前記決定された方向の前記照明構造の前記ＬＥＤ照明を活性化する段階と、
緊急事態が発生した場合、それを感知した歩行者は、接続されたスマートフォンを使用して前記発光ダイオード環境エンジンに救助信号を送信し、前記発光ダイオード環境エンジンは、緊急救助隊に警報を送信し、前記交差点の録画、録音を保存する段階と、
を含むことを特徴とする方法。
【請求項７】
前記照明構造は、調節可能である出力色相を有する少なくとも１つの前記ＬＥＤ照明を含むことを特徴とする請求項６に記載の方法。
【請求項８】
前記照明構造は、照明の演色評価指数を変更できることを特徴とする請求項７に記載の方法。
【請求項９】
前記照明構造は、制御された光を放出できるように前記ＬＥＤ照明に接続された光源アレイを含むことを特徴とする請求項６に記載の方法。
【請求項１０】
発光ダイオード環境エンジンに係る、格納されたコンピュータ読出し可能な命令語を有し、前記コンピュータ読出し可能な命令語を実行するプロセッサに連結されるコンピュータ読出し可能な非一時的格納媒体であって、
前記プロセッサは前記コンピュータ読出し可能な命令語を実行することにより、
請求項６に記載の各段階を制御することを特徴とするコンピュータ読出し可能な非一時的格納媒体。
【請求項１１】
前記照明構造は、調節可能である出力色相を有する少なくとも１つの前記ＬＥＤ照明を含むことを特徴とする請求項１０に記載のコンピュータ読出し可能な非一時的格納媒体。
【請求項１２】
前記照明構造は、照明の演色評価指数を変更できることを特徴とする請求項１１に記載のコンピュータ読出し可能な非一時的格納媒体。
【発明の詳細な説明】
【技術分野】
【０００１】
本発明は、一般的には発光ダイオード（ＬＥＤ、ｌｉｇｈｔ  ｅｍｉｔｔｉｎｇ  ｄｉｏｄｅ）照明システムの分野に係り、より詳細には、センサ、消費電力管理（ｐｏｗｅｒ  ｍａｎａｇｅｍｅｎｔ）、プロセシング能力（ｐｒｏｃｅｓｓｉｎｇ  ｐｏｗｅｒ）、分析（ａｎａｌｙｔｉｃｓ）、アルゴリズム、及びＬＥＤ照明を組合せたソフトウェア能力（ｃａｐａｂｉｌｉｔｙ）を有する発光ダイオード環境エンジンに係る照明システム及び方法に関する。
【背景技術】
【０００２】
白熱及び蛍光照明は、我々の家屋、公共の空間、及び事業用の場所を照明するために長い間、使用されて来た。最近、発光ダイオード（ｌｉｇｈｔ  ｅｍｉｔｔｉｎｇ  ｄｉｏｄｅ、以下‘ＬＥＤ’と称する）照明システムは、幾つかの不可欠な長所の提供によって人気がある。例えば、ＬＥＤ照明システムは、一般的には１１年に及ぶ連続的な動作で使用される長い寿命を提供し、一般的な照明ソースと比較して約７０％を上回るエネルギ効率を提供する。
エネルギ不足と全体的なエネルギ価額の上昇に対応するためにＬＥＤ照明は幅広く採択されつつあり、それと共に、このようなシステムの品質と効率とを更に向上するために、より進歩した制御性と接続性における特色ある機能が一層強く求められている。例えば、部屋が空のとき、照明を頻繁に点けっぱなしにしておけば、不必要な電力消費を引き起こし、ＬＥＤの有効寿命が減少するので、このような問題に対処できる機能が求められている。
【０００３】
一方、これと同時に、例えばセルラフォンやタブレットが典型的に有する種類の通信及びプロセシング用の部材（コンポーネント）が、より普及し安価になっている。このようなプロセッサ、センサ、及び通信用部材を照明システム中に統合することによって、進歩した機能（ｆｅａｔｕｒｅ、特徴的機能）が環境的な状態を改善し、制御及び自動化における更なる応用と組合わせることで、このような照明システムがより環境に優しく且つ有用になる。
【発明の概要】
【発明が解決しようとする課題】
【０００４】
本発明の目的は、周辺の環境状況に基づいて照明モジュールを効率的に制御するシステム及び方法を提供することにある。
本発明の他の目的は、環境改善の効果を有するように照明モジュールを制御するシステム及び方法を提供することにある。
【課題を解決するための手段】
【０００５】
本発明の第１実施形態による照明システムは、使用者の身体的状態を感知し、前記身体的状態は、心拍数、体温、運動量の１つ以上を含むセンサ、及びモバイル機器と通信する無線モジュールを通じて前記使用者の識別情報を受信し、前記センサによって検出された前記身体的状態と前記使用者の前記識別情報に基づいて発光モジュールを制御するプロセッサを含む。
【０００６】
この実施形態において好ましくは、前記センサは、マイクロフォン、温度計センサ、カメラ、及び赤外線センサの中で少なくとも１つを含む。
この実施形態において好ましくは、前記無線モジュールは、ＲＦ送受信機、セルラモデム、ブルートゥース（Ｂｌｕｅｔｏｏｔｈ（登録商標））送受信機、及びＷｉ−Ｆｉ送受信機の中で少なくとも１つを含む。
この実施形態において好ましくは、前記プロセッサは、ストレージのために外部機器に前記無線モジュールによって受信された情報を送信するように動作可能である。
この実施形態において好ましくは、前記発光モジュールは、発光ダイオード（ＬＥＤ）の出力色相を変更するように前記プロセッサによって制御可能な少なくとも１つのＬＥＤを含む。
この実施形態において好ましくは、前記発光モジュールは、演色評価指数照明を含む。
この実施形態において好ましくは、前記発光モジュールは、制御された光を放出できるように発光ダイオード（ＬＥＤ）出力モジュールに接続された光源アレイを含む。
【０００７】
本発明の第２実施形態による照明方法は、センサを使用して使用者の身体的状態を検出し、前記身体的状態は、心拍数、体温、運動量の中の１つ以上を含む段階、モバイル機器と通信する無線モジュールを通じて前記使用者の識別情報を受信する段階、及び前記センサによって検出された前記身体的状態と前記使用者の識別情報とに基づいて発光モジュールを制御する段階を含む。
【０００８】
この実施形態において好ましくは、前記センサは、マイクロフォン、温度計センサ、カメラ、及び赤外線センサの中で少なくとも１つを含む。
この実施形態において好ましくは、前記無線モジュールは、ＲＦ送受信機、セルラモデム、ブルートゥース（Ｂｌｕｅｔｏｏｔｈ）送受信機、及びＷｉ−Ｆｉ送受信機の中で少なくとも１つを含む。
この実施形態において好ましくは、前記発光モジュールは、モノのインタネットプラットフォーム（ＩｏＴ  ｐｌａｔｆｏｒｍ、Ｉｎｔｅｒｎｅｔ−ｏｆ−Ｔｈｉｎｇｓ  ｐｌａｔｆｏｒｍ）を使用して制御される。
この実施形態において好ましくは、前記発光モジュールは、スマートフォンアプリケーションとウェブポータルの中で少なくとも１つを使用して制御される。
この実施形態において好ましくは、ストレージのために外部機器に前記無線モジュールによって受信された情報を送信する段階をさらに含む。
この実施形態において好ましくは、前記発光モジュールは、調節可能である出力色相を有する少なくとも１つの発光ダイオード（ＬＥＤ）を含む。
この実施形態において好ましくは、前記発光モジュールは、演色評価指数照明を含む。
この実施形態において好ましくは、前記発光モジュールは、制御された光を放出できるように発光ダイオード（ＬＥＤ）出力モジュールに接続された光源アレイを含む。
【０００９】
本発明の第３実施形態によるコンピュータ読出し可能な非一時的（不揮発性）格納媒体は、格納されたコンピュータ読出し可能な命令語を有し、前記コンピュータ読出し可能な命令語を実行するプロセッサに連結され、前記プロセッサは前記コンピュータ読出し可能な命令語を実行することにより、センサを使用して使用者の身体的状態を検出し、前記身体的状態は、心拍数、体温、運動量の中の１つ以上を含み、モバイル機器と通信する無線モジュールを通じて前記使用者の識別情報を受信し、前記センサによって検出された前記身体的状態と前記使用者の識別情報とに基づいて発光モジュールを制御する。
【００１０】
この実施形態において好ましくは、前記発光モジュールは、モノのインタネットプラットフォーム（ＩｏＴ  ｐｌａｔｆｏｒｍ、Ｉｎｔｅｒｎｅｔ−ｏｆ−Ｔｈｉｎｇｓ  ｐｌａｔｆｏｒｍ）を使用して制御される。
この実施形態において好ましくは、前記発光モジュールは、調節可能である出力色相を有する少なくとも１つの発光ダイオード（ＬＥＤ）を含む。
この実施形態において好ましくは、前記発光モジュールは、演色評価指数照明を含む。
【発明の効果】
【００１１】
本発明のシステムは、周辺状況を感知するセンサ及び使用者を識別する無線モジュールを使用することによって、周辺状況に従って照明モジュールを効率的に制御でき、これを通じて環境改善の効果を有することができる。
【図面の簡単な説明】
【００１２】
【図１】本発明の一実施形態による統合された外部発光ダイオード（ＬＥＤ）を有する例示的な環境エンジンを示した図面である。
【図２】本発明の一実施形態による統合された外部発光ダイオード（ＬＥＤ）を有する例示的な環境エンジンを示した図面である。
【図３】本発明の一実施形態による家屋又はアパートのリビング内に設置され、外部機器に接続される例示的な環境エンジンを示した図面である。
【図４】本発明の一実施形態による都市の駐車場内に設置され、外部のコンピュータシステムに接続される例示的な環境エンジンを示した図面である。
【図５】本発明の一実施形態による都市の街角に設置された例示的な環境エンジンを示した図面である。
【図６】本発明の一実施形態による、照明モジュールを制御するための例示的な方法を示した順序図である。
【発明を実施するための形態】
【００１３】
幾つかの実施形態を参照してこれから詳細に論議することにする。発明の主題は、代替可能な実施形態と共に記述されるが、請求された発明の主題をこのような実施形態に限定する意図は無いことが理解されよう。
それとは反対に、請求された発明の主題は、添付された請求項によって定義された請求された発明の主題の思想と範囲内に含まれる全ての代替、変更、及び均等物をカバーすることが意図される。
【００１４】
さらに、以下の詳細な説明において多数の特定の詳細は、請求された発明の主題の徹底的な理解を得るために提示される。しかしながら、このような特定の詳細又はその均等物が無い場合でも、請求された発明の主題の具現化が実行できることは、当該技術分野の当業者ならば認識できるであろう。
他の場合において、周知の方法、手続、部材、及び回路は、本発明の主題の観点と機能を不必要に曖昧にしないように、ここでは詳細な説明を省く。
【００１５】
発明の詳細な説明の一部は、手続、段階、論理ブロック、プロセシング、及びその外の、コンピュータメモリ上で遂行できるデータビットに対する操作の記号的な表現の形で提供される。
このような説明と表現は、当該データ処理技術分野の当業者が自分のの仕事の本質を他の当業者に最も効果的に伝達するために使用される手段である。手続、コンピュータにより実行される段階、論理ブロック、プロセス等は、ここでは、そして一般的には、望む結果を引き出すための一連の段階又は命令語からなる一貫性のあるシーケンスとして想定される。
各段階は、物理的量の物理的操作を必要とする。一般に、必須ではないが、このような量は、格納され、伝送され、結合され、比較され、及びコンピュータシステム内で他の方法を用いて操作される、電気的又は磁気的信号の形態を取る。
ビット、値、エレメント、シンボル、特色、用語、及び数等としてこのような信号を示すことは、主に一般的に普及して使用されているという理由から、しばしば便利であることが証明されている。
【００１６】
しかし、これら及び類似な用語は、必ず適切な物理的量と連関されるべきであり、単なるこのような物理的量に適用された単なる便宜上のラベルに過ぎないことに留意すべきである。以下の議論から明らかなように、特別に別途定義されない限り、“アクセスする”、“書き込む”、“含む”、“格納する”、“伝送する”、“横断する”、“連関する”、“識別する”、等の用語を使用する議論は全て、下記のようなコンピュータ又は他の電子コンピューティング機器の動作とプロセスを参照するものと理解されるべきである。
ここでコンピュータ又は他の電子コンピューティング機器の動作とプロセスとは、システムのレジスタ及びメモリ内の物理的（電子的）量として表されるデータを操作して、システムメモリ又はレジスタ、若しくは他の情報ストレージ、伝送、又はディスプレイ装置等の内の物理的量として同様に表される他のデータに変換することを意味する。
【００１７】
下記では発光ダイオード（ｌｉｇｈｔ  ｅｍｉｔｔｉｎｇ  ｄｉｏｄｅ、以下‘ＬＥＤ’と称する）環境エンジン（Ｅｎｖｉｒｏｎｍｅｎｔ  Ｅｎｇｉｎｅ）に関して詳細に説明する。
無線（ｒａｄｉｏ）及びセンササブシステム（ｓｅｎｓｏｒ    ｓｕｂｓｙｓｔｅｍ）を有する環境エンジンがここに開示される。或る実施形態によれば、ＬＥＤ照明コンポーネントは、環境エンジンと共に収容される。他の実施形態によれば、ＬＥＤ照明は、環境エンジンに連結された外部アレイ又は機器によって提供される。有線通信は、イーサネット（登録商標）（Ｅｔｈｅｒｎｅｔ（登録商標）（例えば、ＰｏＥ（Ｐｏｗｅｒ  ｏｖｅｒ  Ｅｔｈｅｒｎｅｔ））、ＵＳＢ、又は電力線通信（Ｐｏｗｅｒ  ｌｉｎｅ）によって提供される。ＬＥＤ環境エンジンは、プロセッサ、（メーン）メモリ、センササブシステム、及び電源管理ユニットを含む。一部実施形態によれば、電源管理ユニットは、接続性とファームウェアレイヤを有する交流（ＡＣ）／直流（ＤＣ）の変換ユニットを含む。無線接続性は、受信性能の増加のために１つ以上のアンテナに連結され得る１つ以上のオンボードの送受信機（ｏｎｂｏａｒｄ  ｔｒａｎｓｃｅｉｖｅｒ）（例えば、ロング・ターム・エボリューション（ＬＴＥ、Ｌｏｎｇ−Ｔｅｒｍ  Ｅｖｏｌｕｔｉｏｎ）、コード分割の多重接続（ＣＤＭＡ、ｃｏｄｅ  ｄｉｖｉｓｉｏｎ    ｍｕｌｔｉｐｌｅ  ａｃｃｅｓｓ）、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）、高速パケットアクセス（ＨＳＰＡ、ｈｉｇｈ  ｓｐｅｅｄ  ｐａｃｋｅｔ  ａｃｃｅｓｓ）、Ｗｉ−Ｆｉ（登録商標）、ブルートゥース（Ｂｌｕｅｔｏｏｔｈ）、ＺＩＧＢＥＥ（登録商標）、Ｚ−ＷＡＶＥ（登録商標）、近距離通信（ＮＦＣ、ｎｅａｒ  ｆｉｅｌｄ  ｃｏｍｍｕｎｉｃａｔｉｏｎｓ）、及び赤外線（ＩＲ、ｉｎｆｒａｒｅｄ））によって提供される。さらに、ＬＥＤ環境エンジンは、プロセッサ、メモリ、環境センササブシステム、及び電源管理ユニットを含む。
環境エンジンによって受信される無線及び／又は有線通信と環境センササブシステムによって受信されたセンサデータは、増強された環境サービス（例えば、サービス照明（ｌｉｇｈｔ−ａｓ−ａ−ｓｅｒｖｉｃｅ）、ＨＶＡＣ（暖房、換気、及び空気調節システム））を提供するためにプロセッサ及びメーンメモリによって使用される。
【００１８】
一実施形態によれば、照明システムは、プロセッサ及びメモリ、カメラを含むセンササブシステム、及び外部機器と通信を提供するための無線を含む無線サブシステムを有する。プロセッサは、センササブシステムによって検出された環境状態と外部機器から無線サブシステムによって受信された制御信号とに基づいてＬＥＤ又は外部機器を制御する。
【００１９】
他の実施形態によれば、環境状態を制御する方法を開示する。該方法は、センササブシステムから受信したセンサデータ、カメラを有するセンササブシステム、外部機器との通信を提供するための無線を有する無線サブシステムを含み、センササブシステムによって検出された環境状態、及び１つ以上の環境状態に影響を与える外部機器から無線サブシステムによって受信された制御信号に基づき、プロセッサを使用してＬＥＤ又は外部機器を制御する。
【００２０】
図１は、本発明の一実施形態による統合された外部発光ダイオード（ＬＥＤ）を有する例示的な環境エンジンを示した図面である。
図１を参照すれば、環境エンジン１００は、本発明の実施形態に従って図示される。プロセッサ１０５は、メーンメモリ１１０に連結される。メーンメモリ１１０は、望む情報を格納するために使用され、コンピューティング機器によってアクセスできるＲＡＭ、ＲＯＭ、ＥＥＰＲＯＭ（登録商標）、フラッシュメモリ（ｆｌａｓｈ  ｍｅｍｏｒｙ）又は他のメモリ技術、又は任意の他の媒体を含むが、それらに限定されない。プロセッサ１０５は、一般的目的プロセッサ又は特定目的プロセッサであり、１つ以上のコアを有する。一部実施形態によれば、除去可能媒体（ｒｅｍｏｖａｂｌｅ  ｍｅｄｉａ）１１５は、例えば、ＳＤ又はＭＭＣカードを含み、除去可能媒体を使用してデータを格納及び／又は回収するためにプロセッサ１０５によってアクセスされる。プロセッサ１０５は、環境センササブシステム（ｅｎｖｉｒｏｎｍｅｎｔａｌ  ｓｅｎｓｏｒ  ｓｕｂｓｙｓｔｅｍ）、無線サブシステム（ｒａｄｉｏ  ｓｕｂｓｙｓｔｅｍ）、電源管理ユニット（ｐｏｗｅｒ  ｍａｎａｇｅｍｅｎｔ  ｕｎｉｔ）１５０、イーサネットモジュール１５５、ＵＳＢモジュール１６０、ＬＥＤ出力モジュール１４５、及びディスプレイ出力モジュール（ｄｉｓｐｌａｙ  ｏｕｔｐｕｔ  ｍｏｄｕｌｅ）１６５に連結される。プログラマブルロジック制御器（ＰＬＣ、Ｐｒｏｇｒａｍｍａｂｌｅ  ｌｏｇｉｃ  ｃｏｎｔｒｏｌｌｅｒ）１７０は、外部機器を使用した環境エンジンを構成するために使用される。
【００２１】
無線サブシステムは、少なくとも１つのＲＦ（ｒａｄｉｏ  ｆｒｅｑｕｅｎｃｙ、無線周波）送受信機１７５、セルラモデム（ｃｅｌｌｕｌａｒ  ｍｏｄｅｍ）１８０、ブルートゥース（Ｂｌｕｅｔｏｏｔｈ）モジュール１８５、及びＷｉ−Ｆｉモジュール１９０を含む。無線サブシステム及び／又はそのコンポーネントは、プロセッサ１０５に連結される。一部実施形態によって、無線サブシステム及び／又はそれのコンポーネントは、内部又は外部アンテナ１９９に連結される。アンテナは、能動（例えば、外部ソースによる電源を利用する）又は受動であり、伝送及び受信データのために無線サブシステムの性能を向上させる。
【００２２】
プロセッサ１０５に連結された環境センササブシステムは、マイクロフォン１２０、温度センサ１３０、赤外線センサ１４０、及びカメラ１３５を含む。プロセッサ１０５は、環境エンジン１００のための電源（例えば、交流（ＡＣ）又は直流（ＤＣ）信号）を提供するための電源管理ユニット１５０に連結される。電源管理ユニット１５０は、再充電可能又は交替可能なバッテリーのような、内部ソース又は外部ソースによって電源を利用する。環境エンジン１００は、イーサネットモジュール１５５、ＵＳＢモジュール１６０又は無線サブシステム（例えば、ＲＦ送受信機１７５、セルラモデム１８０、ブルートゥース（Ｂｌｕｅｔｏｏｔｈ）モジュール１８５、及びＷｉ−Ｆｉモジュール１９０）のコンポーネントを使用した無線接続で通信に関連されて連結される。
外部装置は、環境エンジン１００から環境情報を受信し、環境エンジン１００の機能を活性化及び／又は制御するために環境エンジン１００にデータを送信する。一部実施形態によれば、環境エンジン１００は、ディスプレイ出力モジュール１６５を使用したディスプレイ機器（例えば、モニタ、テレビジョン（ＴＶ））にディスプレイ情報を出力する。ディスプレイ出力モジュール１６５は、多様な連結（例えば、高画質マルチメディアインタフェイス（ＨＤＭＩ（登録商標））、複合マルチメディアインタフェイス（ｃｏｍｐｏｓｉｔｅ）、  ＤＭＩ））をサポートする。
一部実施形態によれば、環境エンジン１００は、暖房（ｈｅａｔｉｎｇ）・換気（ｖｅｎｔｉｌａｔｉｏｎ）・空気調節システム（ａｉｒ  ｃｏｎｄｉｔｉｏｎｉｎｇ  ｓｙｓｔｅｍ）（ＨＶＡＣ）とインタフェイスを持ち、ＵＳＢモジュール１６０、イーサネットモジュール１５５、又は無線サブシステム（例えば、ＲＦ送受信機１７５、セルラモデム１８０、ブルートゥース（Ｂｌｕｅｔｏｏｔｈ）モジュール１８５、及びＷｉ−Ｆｉモジュール１９０）を使用してＨＶＡＣの１つ以上の機能の活性化及び／又は制御を行う。
【００２３】
続けて、図１を参照すれば、ＬＥＤ出力モジュール１４５は、プロセッサ１０５と１つ以上のＬＥＤ照明ユニット又はアレイ（例えば、ＬＥＤユニット１９５Ａ及びＬＥＤアレイ１９５Ｂ）に連結される。ＬＥＤ照明ユニット１９５Ａは、制御された光を放出できるようにＬＥＤ出力モジュール１４５によって制御された単一のダイオードを含み、ＬＥＤアレイ１９５Ｂは、制御された光を放出できるようにＬＥＤ出力モジュール１４５によって制御された一連のダイオードを含む。図２に示したＬＥＤ出力モジュール１４５内に統合されたＬＥＤユニット１９５Ｃ（図示せず）は、環境エンジン２００内に収容され、一実施形態によれば、制御された光を放出できるようにするためにプロセッサ１０５に連結される。
【００２４】
環境センササブシステムによって受信されたセンサデータは、プロセッサ及び／又はメモリに通信される。環境エンジン１００は、照明及び環境サービスを活性化するか、或いは構成するためにセンサ（例えば、マイクロフォン１２０、温度センサ１３０、赤外線センサ１４０、及びカメラ１３５）から受信したデータを使用する。照明サービスは、ＬＥＤオン又はオフの転換、ＬＥＤから放出される光の減光又は増光、ＬＥＤの出力色相の変更を含む。一部実施形態によれば、センササブシステムは、音及び／又は音声命令を検出するマイクロフォンを含む。例えば、音声命令“点灯”は、マイクロフォン１２０によって検出され、ＬＥＤ（例えば、ＬＥＤユニット１９５Ａ、ＬＥＤアレイ１９５Ｂ、又は統合されたＬＥＤユニット１９５Ｃ）をターンオンする制御信号のプロセッサ１０５からの送信を引き起こす。他の例として、予め決定された臨界値を超えるノイズレベルがマイクロフォン１２０によって検出され、１人以上の個人の存在を呈示する場合は、環境エンジン１００（例えば、ＬＥＤターンオン又はオフ、ＨＶＡＣ設定の調整、及び無線サブシステムを使用した信号伝送）の機能を活性化する制御信号のプロセッサ１０５からの送信を引き起こす。
【００２５】
一部実施形態によれば、センササブシステムは、動き及び／又は照明状態を検出するカメラを含む。例えば、カメラ１３５は、個人の存在を呈示する動きを検出すると、環境エンジン１００（例えば、ＬＥＤターンオン又はオフ、ＨＶＡＣ設定の調整、及び無線サブシステムを使用した信号伝送）の特徴を活性化する制御信号のプロセッサ１０５からの送信を引き起こす。
他の例として、カメラ１３５は、予め決定された臨界値を上回るか、或いは下回るような環境の明るさのレベルを検出すると、環境エンジン１００（例えば、ＬＥＤターンオン又はオフ、ＨＶＡＣ設定の調整、及び無線サブシステムを使用した信号伝送）の機能を活性化する制御信号のプロセッサ１０５からの送信を引き起こす。
【００２６】
一部実施形態によれば、センササブシステムは、環境エンジン１００近傍の周辺温度を検出する温度センサを含む。例えば、温度センサ１３０は、予め決定された臨界値を上回るか、或いは下回る温度を検出すると、環境サービスを活性化するか、又は環境状態を調節する（例えば、ＬＥＤターンオン又はオフ、ＨＶＡＣ設定の調整、及び無線サブシステムを使用した信号伝送）制御信号のプロセッサ１０５からの送信を引き起こす。
【００２７】
一部実施形態によれば、センササブシステムは、環境エンジン１００周辺の赤外線（ｉｎｆｒａｒｅｄ  ｌｉｇｈｔ）を検出する赤外線センサを含む。例えば、赤外線センサ１４０は、個人の存在を呈示する赤外線熱又は光を検出すると、環境エンジン１００（例えば、ＬＥＤターンオン又はオフ、ＨＶＡＣ設定の調整、及び無線サブシステムを使用した信号伝送）の機能を活性化する制御信号のプロセッサ１０５からの送信を引き起こす。他の例において、赤外線センサ１４０は、予め決定された臨界値を上回るか、或いは下回る個人の体温を検出すると、環境エンジン１００（例えば、ＬＥＤターンオン又はオフ、ＨＶＡＣ設定の調整、及び無線サブシステムを使用した信号伝送）の機能を活性化する制御信号のプロセッサ１０５からの送信を引き起こす。
【００２８】
無線サブシステムによって受信された制御データは、環境エンジン１００の状態を制御又はモニタするために使用される。例えば、クライアント機器は、有線接続（例えば、ＵＳＢ、イーサネット（Ｅｔｈｅｒｎｅｔ））又は無線サブシステム（例えば、ＲＦ送受信機１７５、セルラモデム１８０、ブルートゥースモジュール１８５、及びＷｉ−Ｆｉモジュール１９０）のコンポーネントを使用して無線接続を使用して接続される。クライアント機器は、環境エンジン１００とインタフェイス及び制御のためにクライアント機器上で実行されるアプリケーション又はウェブポータルを使用する。一実施形態によれば、クライアント機器は、セキュリティ接続の設定及び／又はクライアント機器の使用者の識別（ｉｄｅｎｔｉｆｉｃａｔｉｏｎ）のために識別情報（ＩＤ））及び／又はセキュリティ情報を環境エンジン１００に送信する。さらに、無線サブシステムは、他の環境エンジン及び／又は他のクライアント機器を含むアドホック（ａｄ  ｈｏｃ）又はメッシュ（ｍｅｓｈ）ネットワークを設定及び／又は参加して動作できる。
【００２９】
一部実施形態によれば、無線サブシステム（例えば、ＲＦ受信機１７５、セルラモデム１８０、ブルートゥース（Ｂｌｕｅｔｏｏｔｈ）モジュール１８５、及びＷｉ−Ｆｉモジュール１９０）の１つ以上のコンポーネントは、他の環境エンジン又は類似の機器に環境エンジン１００を接続するために使用される。例えば、環境エンジン１００は、モノのインタネット（ＩｏＴ、Ｉｎｔｅｒｎｅｔ−ｏｆ−ｔｈｉｎｇｓ）プラットフォームに無線接続されて、データを送信し、データ及び／又は外部機器からの制御信号を受信する。さらに、無線サブシステムは、１つ以上のクライアント機器にデータ（例えば、環境データ）を送信する。
送信されたデータは、例えば、部屋の温度、部屋使用者の数又は識別、ＨＶＡＣ状態（例えば、暖房、冷房、循環、暖房スケジュール、及び冷房スケジュール）、動きの検出情報、カメラ又は赤外線センサによってキャプチャされた視覚情報、又は接続されたクライアント機器から収集された情報等の環境センササブシステムによってキャプチャされた情報に関連する。クライアント機器から収集された情報は、個人（例えば、名前、社会保障番号（即ち、住民登録番号）、職員ＩＤ、及び使用者名）、位置情報、支払情報、電話番号、ブラウザーヒストリ、機器情報（例えば、ハードウェアの詳細、モデルナンバー）、サービスの提供者、接触リスト、及びソーシャルメディアデータを含み得るが、それらに限定されない。
【００３０】
ここに記述された機能は、７０％を超えるエネルギ節減を具現するＬＥＤ照明を可能にし、一部の場合、アプリケーションによっては、大略９０％〜９５％節減を具現する。一部実施形態によれば、ＬＥＤ環境エンジンは、センササブシステム及び／又は無線サブシステムを使用して電源消耗のスマートメータリング（ｓｍａｒｔ  ｍｅｔｅｒｉｎｇ）を提供する動作が更に可能である。さらに、ここで論議されたＬＥＤ環境エンジンの実施形態によれば、スマート及び／又はリアルタイムのフリッカ点滅の無い調光（ｆｌｉｃｋｅｒ−ｆｒｅｅ  ｄｉｍｍｉｎｇ）を提供する動作が可能である。一部実施形態によれば、光の全体品質は、日中光品質照明（ｄａｙｌｉｇｈｔ  ｑｕａｌｉｔｙ  ｌｉｇｈｔｉｎｇ）又は相関された色相温度（ＣＣＴ、Ｃｏｒｒｅｌａｔｅｄ  Ｃｏｌｏｒ  Ｔｅｍｐｅｒａｔｕｒｅ）の照明を使用して改善される。
さらに、別の実施形態によれば、ＬＥＤ照明の変化する色相を提供及び／又は照明の演色評価指数（ｃｏｌｏｒ  ｒｅｎｄｅｒｉｎｇ  ｉｎｄｅｘ）を変更できる。一実施形態によれば、本発明のシステムは、環境改善効果（ｅｎｖｉｒｏｎｍｅｎｔａｌ  ｅｎｈａｎｃｅｍｅｎｔ  ｅｆｆｅｃｔｓ）を提供するために１つ以上の照明アルゴリズムの組合わせによりセンササブシステムの１つ以上のセンサによって活性化される改善された照明スペクトル（ｌｉｇｈｔｉｎｇ  ｓｐｅｃｔｒｕｍ）及び／又は生物学的周期のリズム色相パターン（ｃｉｒｃａｄｉａｎ  ｒｈｙｔｈｍ  ｃｏｌｏｒ  ｐａｔｔｅｒｎ）を提供する。ＬＥＤ環境エンジンによって生成されて改善された照明スペクトル及び／又は生物学的周期のリズム色相パターンによって提供された環境改善の効果の例は、作業現場の生産性の向上、学校における学習サイクルの改善、病院における回復時間の短縮、及び老人介護施設における生活の質の改善を含む。
ＬＥＤ環境エンジンによって提供される環境改善効果は、多様な効果をもたらすように患者の体内時計（ｃｉｒｃａｄｉａｎ  ｃｌｏｃｋ）を変える。一実施形態で、青色光（ｂｌｕｅ  ｌｉｇｈｔ）成分は、患者の昼間活動の質と量との改善のために患者に提供される。他の例として、赤色光（ｒｅｄ  ｌｉｇｈｔ）及び／又は、こはく色光（ａｍｂｅｒ  ｌｉｇｈｔ）成分は、患者の睡眠習慣、肉体及び精神健康の改善のために夕方に提供される。
【００３１】
図２は、本発明の一実施形態による統合された外部発光ダイオード（ＬＥＤ）を有する例示的な環境エンジンを示した図面である。
図３は、本発明の一実施形態による家屋又はアパートのリビング内に設置され、外部機器に接続される例示的な環境エンジンを示した図面である。
図３を参照すれば、例示的な環境エンジン３０１は、一実施形態による家屋又はアパート３００のリビングに設置された、統合されたＬＥＤユニットを含む。環境エンジン３０１は、家屋又はアパート内の他の機器に連結され、照明と多様な他の家電製品（例えば、スマート家電）の制御のためのハブとして動作する。環境エンジンは、センササブシステム又は無線サブシステム、或いはその二つの組合わせを使用して、部屋（リビング）の占有者個々人の識別を試みる。環境エンジンは、例えば、個別的なモバイル機器上のアプリケーションを介して個別的なモバイル機器と通信する無線モジュールを通じて個人の識別信号を受信するプロセッサを含む。
【００３２】
例えば、環境エンジンは、センササブシステムの１つ以上のコンポーネントを使用して、部屋内の個人（例えば、占有者３０２）の存在を検出し、例えば、ブルートゥース（Ｂｌｕｅｔｏｏｔｈ）又はＷｉ−Ｆｉを使用した個人のスマートフォン（例えば、スマートフォン３０３）との接続によって個人の識別を試みる。個人は、キー又は署名を使用して自動的に識別され、個人は、それらのスマートフォン上で実行されるアプリケーション又はウェブポータルを使用してその身分を確認できる。
承認又は認証されない使用者が検出されれば、システムは、アラーム又は他のセキュリティ機能（例えば、ＬＥＤをターンオンし、ビデオ及び／又はオーディオをキャプチャ）をトリガ（起動、ｔｒｉｇｇｅｒ）する。環境エンジンは、例えば、異常状態（例えば、心拍数、体温、運動量、動きの欠如）等を含む使用者の身体的状態を検出するためにセンササブシステムを使用して、個人（例えば、使用者３０２）の身体的健康及び精神的健康をモニタすることもできる。環境エンジンのプロセッサは、センサと個人の識別によって検出された身体的状態に基づいて照明モジュールを制御する。
環境エンジンは、モノのインタネット（ＩｏＴ）プラットフォームを使用して部屋内の他の装置に接続される。例えば、環境エンジンは、個人の存在を検出すると、有線（例えば、ＵＳＢ及びイーサネット（Ｅｈｔｅｒｎｅｔ））又は無線（例えば、ＲＦ、セルラ、ブルートゥース（Ｂｌｕｅｔｏｏｔｈ）、及びＷｉ−Ｆｉ）接続を用いて、テレビジョン３０４、冷蔵庫３０５、コーヒーメーカ３０６に対してその特定の機能のターンオン、活性化を引き起こす。
【００３３】
その他の説明事例において、一つのＬＥＤアレイ（例えば、環境エンジン１００）に接続された複数の例示的な環境エンジンが、事務用ビルや小売店等のビジネス用の場所に設置される。ビル内の各部屋又は事務室は、専用の環境エンジンを有し、全ての環境エンジンは、有線（例えば、ＵＳＢ及びイーサネット（Ｅｈｔｅｒｎｅｔ））又は無線（例えば、ＲＦ、セルラ、ブルートゥース（Ｂｌｕｅｔｏｏｔｈ）、及びＷｉ−Ｆｉ）インタフェイスを使用して互いに接続される。一実施形態で、一つの環境エンジンがハブとして動作し、他の環境エンジンは、ハブに連結され、ハブに、及びハブからデータ及び／又は制御信号を送、受信する。
このようにして、環境エンジンは、新しい環境エンジンとして拡張できるか、或いは新しい照明システムが必要に応じて追加されてハブに連結される。各部屋内の環境エンジンのセンササブシステムは、部屋が占有される時を決定するために使用される。これにより、ＬＥＤ照明を必要な時のみ駆動できるので、照明費用の節減と照明システムの寿命延長を許容する。さらに、環境エンジンは、有線又は無線技術を使用してクライアント機器（例えば、消費者及び従業員のスマートフォン、タブレット、及びラップトップ）に接続される。環境エンジンは、クライアント機器から受信したデータを格納及び／又は受信したデータに基づいて分析を実行できる。さらに、環境エンジンは、ストレージ及び／又は分析のためにローカル（店舗内）又はリモート（遠隔）機器にデータを移送できる。このようなデータは、例えば、来店する消費者の人口統計と関心の対象関して基調な洞察（ｉｎｓｉｇｈｔ）を提供する。
【００３４】
図４は、本発明の一実施形態による、都市の駐車場内に設置され、外部コンピュータシステムに接続される例示的な環境エンジンを示した図面である。
図４を参照すれば、環境エンジン４０１は、本発明の一実施形態に従って、複数のＬＥＤユニット４０２からなるＬＥＤアレイ４０２に接続され、駐車場４００に設置される。環境エンジン４０１は、表示情報のためのディスプレイ出力１６５を使用して外部ディスプレイ機器４０３に接続される。このような例において、環境エンジン４０１は、イーサネット（Ｅｔｈｅｒｎｅｔ）インタフェイスを使用して外部コンピュータシステム４０４に接続される。外部コンピュータシステム４０４は環境エンジンに対して、天候、トラフィック（交通一般）、公共交通、駐車に関するデータを含むが、それらに限定されないデータを送信する。外部コンピュータシステム４０４からのデータ送信は、環境エンジンによって受信され、外部ディスプレイ機器４０３上に表示され、及び／又は、環境エンジン４０１に接続されたクライアント機器（例えば、車輌４０６の車載通信システム４０５、スマートフォン、及びラップトップ）に送信される。
【００３５】
環境エンジンは、ＬＥＤアレイ４０２を使用して照明サービスを提供する。例えば、センサが予め決定された臨界値未満の環境エンジン４０１周辺の明るさレベルを検出すれば、環境エンジン４０１は、ＬＥＤアレイ４０２のＬＥＤユニット４０７を駆動する。他の例として、環境エンジン４０１のセンサが或るＬＥＤユニット４０７に近接した駐車空間内に車輌（例えば、車輌４０６）が駐車されることを決定する。該駐車空間が占有されることを呈示するために、環境エンジン４０１のプロセッサは、ＬＥＤユニット４０７の赤色発光を引き起こす。後に、駐車空間が占有されなくなると、環境エンジン４０１のプロセッサは、駐車空間が占有されないことを呈示するためにＬＥＤユニット４０７の緑色発光を引き起こす。環境エンジン４０１は、カメラ（例えば、カメラ１３５）を使用して閉鎖回路テレビジョン（ＣＣＴＶ、ｃｌｏｓｅｄ  ｃｉｒｃｕｉｔ  ｔｅｌｅｖｉｓｉｏｎ）と同様の監視機能を提供し、その際、クライアント機器に対して、及び／又は、モニタリング又はストレージのために接続されたコンピュータシステム４０４に対してキャプチャされたイメージを送信することによって、駐車場の安全を増進するセキュリティ機能を提供することもできる。
【００３６】
一実施形態によれば、本発明のシステムは、ソフトウェア（例えば、アプリケーションソフトウェア）、センサ（例えば、高画質（ＨＤ）ビデオカメラ）、及び無線サブシステムの１つ以上の通信コンポーネントを使用したスマート駐車及び／又はトラフィックアプリケーションを提供する。本実施形態における、トラフィック管理及びセキュリティソリューション向けのアプリケーションは、トラフィック、公共交通、及び／又は歩行者のセキュリティ情報を受信及び／又は格納するプロセッサによって実行される。位置追跡及びその他のセキュリティ機能は、１つ以上のＬＥＤ照明エンジンを使用して私的空間及び公的空間（例えば、駐車場、空港、学校、地理的フェンス（ｇｅｏ  ｆｅｎｃｉｎｇ）から、国土セキュリティ（ｈｏｍｅｌａｎｄ  ｓｅｃｕｒｉｔｙ）に至る）に対して提供される。
例えば、一連のＬＥＤ照明／環境エンジンは、車輌のナンバープレート（ｌｉｃｅｎｓｅ  ｐｌａｔｅ  ｎｕｍｂｅｒ）に加えて車輌の移動方向、速度、及び／又は提供できる現在位置を検出するために１つ以上のカメラを使用して自動車を追跡する協同動作（ｉｎｔｅｒｏｐｅｒａｔｅ）ができる。本発明の環境エンジンは、センササブシステム（例えば、カメラ、温度センサ、及び赤外線センサ）の１つ以上のセンサを使用して火災又は他の環境的災害の場合、緊急脱出の案内（ｅｍｅｒｇｅｎｃｙ  ｅｓｃａｐｅ  ｇｕｉｄａｎｃｅ）を含む他のセキュリティ機能を提供できる。一実施形態によれば、無線サブシステムは、機械対機械（ｍａｃｈｉｎｅ−ｔｏ−ｍａｃｈｉｎｅ、以下‘Ｍ２Ｍ’と称する）の通信システムからデータを受信、及び／又は、該通信システムにデータを送信する動作が可能である。Ｍ２Ｍ通信システムは更に、自律走行車輌の動作に関連する機能を活性化する。Ｍ２Ｍ通信システムは、ＬＥＤ環境エンジンに対してトラフィック分類（ｔｒａｆｆｉｃ  ｃｌａｓｓｉｆｉｃａｔｉｏｎ）とセキュリティ情報とを提供するために追加的に動作できる。
【００３７】
図５は、本発明の一実施形態による都市の街角に設置された例示的な環境エンジンを示した図面である。
図５を参照すれば、ＬＥＤ環境エンジン５０１は、一実施形態に従って街角の交差点５００に設置される。ＬＥＤ環境エンジン５０１は、交差点５００のコーナに設置されたＬＥＤ照明（例えば、ＬＥＤユニット５０３）を有する照明構造５０２Ａ、５０２Ｂ、５０２Ｃに通信上カップル連結される。図示したように、ＬＥＤ環境エンジン５０１は、照明構造５０２Ｂのトップの部分に設置されているが、他の設置位置にも可能（例えば、街路の路肩に置かれた便利箱（ｓｔｒｅｅｔ  ｓｉｄｅ  ｕｔｉｌｉｔｙ  ｂｏｘ）、地下、及びビル構造の内部）である。無線サブシステムによって提供された無線通信（例えば、Ｗｉ−Ｆｉ、ブルートゥース（Ｂｌｕｅｔｏｏｔｈ）、及び、ＲＦ）を使用すれば、ＬＥＤ環境エンジン５０１は、車輌５０６の車載通信システム５０７、及びスマートフォン５０５Ａ、５０５Ｂのような外部機器と通信する。センササブシステム（例えば、カメラ、マイクロフォン、及び赤外線センサ）の外部機器及び／又はコンポーネントから受信されたデータを使用すれば、ＬＥＤ環境エンジンは、照明及びセキュリティ等の環境を制御する側面において動作可能である。
【００３８】
一実施形態で、ＬＥＤ環境エンジン５０１のカメラは、街路を横切るために待機する歩行者５０４Ａを検出する。歩行者５０４Ａのスマートフォンに接続して、ＬＥＤ環境エンジン５０１のプロセッサは、照明構造５０２Ａの方向に歩こうと意図する歩行者５０４Ａを決定する。対応して、ＬＥＤ環境エンジン５０１は、歩行者が照明された道路を安全に横切ることができるように、照明構造５０２ＡのＬＥＤユニット５０３を活性化する。歩行者５０４Ｃは、スマートフォンを持ってないが、ＬＥＤ環境エンジン５０１のセンササブシステムは、歩道を歩き、照明構造５０２Ｃの方向に道路を横切る歩行者５０４Ｃを視覚的に識別する。対応して、ＬＥＤ環境エンジン５０１は、歩行者が照明された道路を安全に横切ることができるように照明構造５０２ＣのＬＥＤユニット５０３を活性化する。  車輌５０６の車載通信システム５０７もまた、無線通信技術を使用してＬＥＤ環境エンジン５０１に接続する。  車載通信システム５０７は、車載通信システム５０７を使用する車輌５０６内に設置されたディスプレイ機器にトラフィック情報及び天候情報を送信する。歩行者５０４Ｂは、無線接続（例えば、セルラ、Ｗｉ−Ｆｉ、及びブルートゥース（Ｂｌｕｅｔｏｏｔｈ））を使用してＬＥＤ環境エンジン５０１に無線接続する。ＬＥＤ環境エンジン５０１は、「横断歩道信号５０８を（例えば）３６秒後に“歩行（ＷＡＬＫ）”に変換する」という情報を呈示するデータをスマートフォン５０５Ｂに送信する。緊急事態が生じた場合、歩行者（例えば、歩行者５０４Ｂ）は、接続されたスマートフォン（例えば、スマートフォン５０５Ｂ）を使用してＬＥＤ環境エンジン５０１に救助信号を送信する。対応して、ＬＥＤ環境エンジン５０１は、緊急救助隊に警報を送信し、及び／又は、交差点５００の録画及び／又は録音を保存する。一部実施形態によれば、ＬＥＤ環境エンジン５０１は、交差点５００又はその周辺の接続された機器（例えば、スマートフォン５０５Ａ、５０５Ｂ）及び／又は居合わせた使用者（例えば、歩行者５０４Ａ、５０４Ｂ）に関する情報をログ（記録）する。
【００３９】
図６は、本発明の一実施形態による、照明モジュールを制御するための例示的な方法を示した順序図である。
図６を参照すれば、フローチャート６００は、一実施形態による、照明モジュールを制御する方法を図示する。方法は、６０１段階でセンサを使用した使用者の身体的状態を検出する段階を含む。６０２段階で、使用者の識別情報（ｉｄｅｎｔｉｆｉｃａｔｉｏｎ）を、モバイル機器と通信する無線モジュールを通じて受信する。６０３段階で、照明モジュールは、センサによって検出された身体的状態と使用者の識別情報に基づいて制御される。
【００４０】
以上、本発明が開示する実施形態を記述したが、本発明の開示は特定の実施形態について記述されているけれども、本発明の開示は、そのような実施形態によって限定されないと解釈されるべきであり、別途記述した請求項によって解釈されるべきである。
【符号の説明】
【００４１】
１００  環境エンジン
１０５  プロセッサ
１１０  メーンメモリ
１１５  除去可能媒体（ＳＤ／ＭＭＣカード）
１２０  マイクロフォン
１３０  温度センサ
１３５  カメラ
１４０  赤外線センサ
１４５  ＬＥＤ出力モジュール
１５０  電源管理ユニット
１５５  イーサネット（Ｅｔｈｅｒｎｅｔ）
１６０  ＵＳＢ
１６５  ディスプレイ出力モジュール
１７０  プログラマブルロジック制御器（ＰＬＣ）
１７５  ＲＦ送受信機
１８０  セルラモデム
１８５  ブルートゥース（Ｂｌｕｅｔｏｏｔｈ）
１９０  Ｗｉ−Ｆｉ
１９５Ａ            ＬＥＤユニット
１９５Ｂ            ＬＥＤアレイ
１９９  アンテナ
２００  環境エンジン
１９５Ｃ            ＬＥＤユニット
３００  家屋又はアパート
３０１  環境エンジン
３０３  スマートフォン
３０４  テレビジョン
３０５  冷蔵庫
３０６  コーヒーメーカ
４００  駐車場
４０１  環境エンジン
４０２  ＬＥＤアレイ
４０３  外部ディスプレイ機器  
４０４  外部コンピュータシステム
４０５  車載通信システム
４０６  車輌
４０７  ＬＥＤユニット
５００  交差点
５０１  ＬＥＤ環境エンジン      
５０２Ａ、５０２Ｂ、５０２Ｃ              照明構造
５０３  ＬＥＤユニット
５０５Ａ、５０５Ｂ      スマートフォン
５０６  車輌
５０７  車載通信システム
５０８  横断歩道信号
【図１】
0006606404.tif 000002
【図２】
0006606404.tif 000003
【図３】
0006606404.tif 000004
【図４】
0006606404.tif 000005
【図５】
0006606404.tif 000006
【図６】
0006606404.tif 000007